(57)【要約】【課題】呼出中である着信要求の着先を発信者からの指示に応じて指定された着先に切り替える。【解決手段】内線ＤＢ１５で、内線端末２０の内線番号ごとに当該内線端末２０に固有のキーワードを記憶しておき、呼制御部１６が、電話網ＮＷ１から通知された着信要求に応じて、当該着信要求で指定された着先と対応する内線端末２０を呼び出し、着先切替部１７が、当該着信要求に関する呼出中に、当該着信要求の発側端末から送信された、当該着信要求に関する着先切替指示を、通信網ＮＷ２から受信した場合、当該着先切替指示で指定された切替先名と同じキーワードを持つ内線番号を内線ＤＢ１５から取得し、当該着信要求に応じた内線端末２０への呼出を停止して、当該内線番号と対応する新たな内線端末２０への呼出を開始することにより当該着信要求の着先を切り替える。【選択図】  図１
2019097017.tif 000002
【特許請求の範囲】
【請求項１】
電話網および通信網と接続された電話制御装置と、通信回線を介して前記電話制御装置に接続された複数の内線端末を備え、前記電話制御装置が、前記複数の内線端末を前記電話網に交換接続するとともに、前記通信網を介してデータ通信を行う電話システムであって、
前記電話制御装置は、
前記内線端末の内線番号ごとに当該内線端末に固有のキーワードを記憶する内線データベースと、
前記電話網から通知された着信要求に応じて、当該着信要求で指定された着先と対応する内線端末を呼び出す呼制御部と、
前記着信要求に関する呼出中に、前記着信要求の発側端末から送信された、前記着信要求に関する着先切替指示を、前記通信網から受信した場合、前記着先切替指示で指定された切替先名と同じキーワードを持つ内線番号を前記内線データベースから取得し、前記内線端末への呼出を停止して前記内線番号と対応する新たな内線端末への呼出を開始することにより前記着信要求の着先を切り替える着先切替部とを備える
ことを特徴とする電話システム。
【請求項２】
請求項１に記載の電話システムにおいて、
前記着先切替指示は、前記切替先名として、前記発側端末で切替先名を示す利用者音声を音声認識処理して得られたテキストデータを含み、
前記着先切替部は、前記着先切替指示に含まれる前記切替先名と同じキーワードを持つ内線番号を前記内線データベースから取得する
ことを特徴とする電話システム。
【請求項３】
請求項１に記載の電話システムにおいて、
前記着先切替指示は、前記切替先名として、前記発側端末で切替先名を示す利用者音声を符号化して得られた音声データを含み、
前記着先切替部は、前記着先切替指示に含まれる音声データを音声認識処理し、得られたテキストデータからなる切替先名と同じキーワードを持つ内線番号を前記内線データベースから取得する
ことを特徴とする電話システム。
【請求項４】
電話網および通信網と接続された電話制御装置と、通信回線を介して前記電話制御装置に接続された複数の内線端末を備え、前記電話制御装置が、前記複数の内線端末を前記電話網に交換接続するとともに、前記通信網を介してデータ通信を行う電話システムであって、
発側端末から送信された着先切替指示に含まれる音声データを音声認識処理し、得られたテキストデータからなる切替先名を生成する音声処理サーバを備え、
前記電話制御装置は、
前記内線端末の内線番号ごとに当該内線端末に固有のキーワードを記憶する内線データベースと、
前記電話網から通知された着信要求に応じて、当該着信要求で指定された着先と対応する内線端末を呼び出す呼制御部と、
前記着信要求に関する呼出中に、前記着信要求の発側端末から送信された、前記着信要求に関する着先切替指示で指定された前記切替先名を、前記音声処理サーバから取得して、前記切替先名と同じキーワードを持つ内線番号を前記内線データベースから取得し、前記内線端末への呼出を停止して前記内線番号と対応する新たな内線端末への呼出を開始することにより前記着信要求の着先を切り替える着先切替部とを備える
ことを特徴とする電話システム。
【請求項５】
請求項１〜請求項４のいずれかに記載の電話システムにおいて、
前記内線データベースは、前記キーワードとして、前記内線端末を利用する利用者の名前、または、前記内線端末の設置場所と関連する名前、を示すテキストデータを記憶することを特徴とする電話システム。
【請求項６】
請求項１〜請求項５のいずれかに記載の電話システムで用いられる電話制御装置。
【発明の詳細な説明】
【技術分野】
【０００１】
本発明は、電話網からの着信要求に応じて内線端末を呼出中に、発側端末から指示された新たな内線端末へ着先を切り替える着先切替技術に関する。
【背景技術】
【０００２】
一般に、ビジネスホンシステムやＰＢＸシステムなどの電話システムは、電話網に対して配下の内線端末を交換接続するシステムであり、主な機能の１つとして電話取次機能を有している。この電話取次機能とは、電話網からの着信に取次者が一旦応答して、発信者が通話したい通話対象者の内線端末を呼び出して発側端末と接続する機能である。
【０００３】
また、このような電話システムは、電話網からの着信要求に応じて内線端末を呼び出す機能の１つとして、代表着信機能とを備えているものもある。代表着信機能は、任意のグループに属する各内線端末に代表電話番号を割り当てておき、当該代表電話番号を着先とする電話網からの着信要求に応じて、対応するグループに属する各内線端末を一斉に呼び出す機能である（例えば、特許文献１など参照）。
【０００４】
このような電話取次機能は、外出中の発信者が社内の通話対象者を呼び出す際に利用されることが多い。しかし、電話取次機能は、あくまでも電話取次者の経由を前提としているため、通話対象者が離席中や外出中などの事由により、発信者からの着信を通話対象者へ取り次ぐことができない場合も考えられる。このような通話対象者が未応答の場合、電話取次者の負担が増大することになり、電話取次者の職務の妨げになることも多い。
したがって、一般的には、転送機能や留守番録音機能を利用すれば、電話網からの着信に通話対象者が応答できない場合でも、対応することが可能となる。
【先行技術文献】
【特許文献】
【０００５】
【特許文献１】特開２０１４−１２０９６８号公報
【発明の概要】
【発明が解決しようとする課題】
【０００６】
しかしながら、このような転送機能や留守番録音機能を利用する場合には、各通話対象者が、事前に転送先や留守番録音などを予め設定しておく必要があるため、通話対象者にとって負担になるという問題点があった。
本発明はこのような課題を解決するためのものであり、呼出中である着信要求の着先を発信者からの指示に応じて指定された着先に切り替えることができる。着信制御技術を提供することを目的としている。
【課題を解決するための手段】
【０００７】
このような目的を達成するために、本発明にかかる電話システムは、電話網および通信網と接続された電話制御装置と、通信回線を介して前記電話制御装置に接続された複数の内線端末を備え、前記電話制御装置が、前記複数の内線端末を前記電話網に交換接続するとともに、前記通信網を介してデータ通信を行う電話システムであって、前記電話制御装置は、前記内線端末の内線番号ごとに当該内線端末に固有のキーワードを記憶する内線データベースと、前記電話網から通知された着信要求に応じて、当該着信要求で指定された着先と対応する内線端末を呼び出す呼制御部と、前記着信要求に関する呼出中に、前記着信要求の発側端末から送信された、前記着信要求に関する着先切替指示を、前記通信網から受信した場合、前記着先切替指示で指定された切替先名と同じキーワードを持つ内線番号を前記内線データベースから取得し、前記内線端末への呼出を停止して前記内線番号と対応する新たな内線端末への呼出を開始することにより前記着信要求の着先を切り替える着先切替部とを備えている。
【０００８】
また、本発明にかかる上記電話システムの一構成例は、前記着先切替指示が、前記切替先名として、前記発側端末で切替先名を示す利用者音声を音声認識処理して得られたテキストデータを含み、前記着先切替部は、前記着先切替指示に含まれる前記切替先名と同じキーワードを持つ内線番号を前記内線データベースから取得するようにしたものである。
【０００９】
また、本発明にかかる上記電話システムの一構成例は、前記着先切替指示が、前記切替先名として、前記発側端末で切替先名を示す利用者音声を符号化して得られた音声データを含み、前記着先切替部は、前記着先切替指示に含まれる音声データを音声認識処理し、得られたテキストデータからなる切替先名と同じキーワードを持つ内線番号を前記内線データベースから取得するようにしたものである。
【００１０】
また、本発明にかかる他の電話システムは、電話網および通信網と接続された電話制御装置と、通信回線を介して前記電話制御装置に接続された複数の内線端末を備え、前記電話制御装置が、前記複数の内線端末を前記電話網に交換接続するとともに、前記通信網を介してデータ通信を行う電話システムであって、発側端末から送信された着先切替指示に含まれる音声データを音声認識処理し、得られたテキストデータからなる切替先名を生成する音声処理サーバを備え、前記電話制御装置は、前記内線端末の内線番号ごとに当該内線端末に固有のキーワードを記憶する内線データベースと、前記電話網から通知された着信要求に応じて、当該着信要求で指定された着先と対応する内線端末を呼び出す呼制御部と、前記着信要求に関する呼出中に、前記着信要求の発側端末から送信された、前記着信要求に関する着先切替指示で指定された前記切替先名を、前記音声処理サーバから取得して、前記切替先名と同じキーワードを持つ内線番号を前記内線データベースから取得し、前記内線端末への呼出を停止して前記内線番号と対応する新たな内線端末への呼出を開始することにより前記着信要求の着先を切り替える着先切替部とを備えている。
【００１１】
また、本発明にかかる上記電話システムの一構成例は、前記内線データベースが、前記キーワードとして、前記内線端末を利用する利用者の名前、または、前記内線端末の設置場所と関連する名前、を示すテキストデータを記憶するようにしたものである。
【００１２】
また、本発明にかかる電話制御装置は、前述したいずれかの電話システムで用いられる電話制御装置である。
【発明の効果】
【００１３】
本発明によれば、発信者が外出中で時間的余裕がない場合、電話制御装置での電話取次を前提として発側端末から電話制御装置に電話した後、発側端末で着先切替操作を行って、例えば通話対象者の名前を音声入力するだけで、着先が通話対象者に切り替えられることになる。したがって、発信者が電話網経由で通話対象者を直接呼び出すことができない場合でも、呼出中の当該着信要求の着先を発信者からの指示に応じて指定された着先に切り替えることが可能となる。
【図面の簡単な説明】
【００１４】
【図１】第１の実施の形態にかかる電話システムの構成を示すブロック図である。
【図２】内線ＤＢの構成例である。
【図３】第１の実施の形態にかかる電話システムの動作を示すシーケンス図である。
【図４】第１の実施の形態にかかる電話システムの動作（続き）を示すシーケンス図である。
【図５】第２の実施の形態にかかる電話システムの動作を示すシーケンス図である。
【図６】第３の実施の形態にかかる電話システムの構成を示すブロック図である。
【図７】第３の実施の形態にかかる電話システムの動作を示すシーケンス図である。
【発明を実施するための形態】
【００１５】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
この電話システム１は、ビジネスホンシステムやＰＢＸシステムなどの電話システムからなり、電話制御装置１０、複数の内線端末２０、および、１つまたは複数の発側端末３０とを備えている。
【００１６】
電話制御装置１０は、全体としてビジネスホンシステムの主装置やＰＢＸシステムのＰＢＸ装置からなり、通信回線Ｌを介して収容した複数の内線端末２０を電話網ＮＷ１や通信網ＮＷ２に交換接続する機能を有している。
内線端末２０は、ビジネスホンシステムやＰＢＸシステムなどの電話システムで内線電話機として用いられる端末装置である。
発側端末３０は、一般的な有線電話端末のほか、スマートホンや携帯電話機などの無線電話端末からなり、利用者操作に応じて、電話網ＮＷ１や通信網ＮＷ２を介して任意の相手先と音声通話を行うとともに、通信網ＮＷ２を介して任意の相手先とデータ通信を行う端末装置である。
【００１７】
電話網ＮＷ１は、次世代網（ＮＧＮ：Next Generation Network）のほか、ＩＳＤＮ（Integrated Services Digital Network）、ＰＳＴＮ（Public Switched Telephone Network）、携帯電話網などの既存の電話網である。
通信網ＮＷ２は、インターネットやＬＡＮなどの既存のデータ通信網からなり、ＩＰ電話網として利用される通信網である。
【００１８】
［電話制御装置］
次に、図１を参照して、本実施の形態にかかる電話制御装置１０について説明する。
電話制御装置１０は、主な機能部として、網Ｉ／Ｆ部１１、内線Ｉ／Ｆ部１２、スイッチ部１３、記憶部１４、内線ＤＢ１５、呼制御部１６、および着先切替部１７を備えている。これら機能部のうち、呼制御部１６および着先切替部１７は、ＣＰＵと記憶部１４のプログラム（図示せず）とが協働することにより実現されている。
【００１９】
網Ｉ／Ｆ部１１は、電話網ＮＷ１との間で呼制御メッセージ（呼制御信号）や音声データ（音声信号）をやり取りする機能と、通信網ＮＷ２との間で呼制御メッセージ（呼制御信号）や音声データ（音声信号）、さらには各種データをやり取りする機能とを有している。
【００２０】
内線Ｉ／Ｆ部１２は、通信回線Ｌを介して内線端末２０との間で、制御メッセージや音声データをやり取りする機能を有している。
スイッチ部１３は、呼制御部１６からの指示に応じて、網Ｉ／Ｆ部１１の通話路と内線Ｉ／Ｆ部１２の通話路とを交換接続する機能を有している。
【００２１】
記憶部１４は、ハードディスクや半導体メモリなどの記憶装置からなり、電話制御装置１０における各種処理に用いる制御データやプログラムを記憶する機能を有している。
内線ＤＢ１５は、内線端末２０に固有の内線電話番号と当該内線端末２０を利用する利用者の名前や配置場所と関連する名前とが対応付けて登録されているデータベースである。図２は、内線ＤＢの構成例である。ここでは、内線端末２０の内線電話番号ごとに、内線端末２０を利用する利用者の名前、内線端末２０が設置されている場所や部署の名前などの内線情報が登録されている。
【００２２】
呼制御部１６は、電話網ＮＷ１や通信網ＮＷ２に対して内線端末２０を交換接続するための一般的な呼制御を行う機能を有している。具体的には、電話網ＮＷ１や通信網ＮＷ２からの着信要求に応じて対応する内線端末２０を呼び出す着信機能、呼出中の内線端末２０での応答操作に応じて、スイッチ部１３を制御して当該内線端末２０と電話網ＮＷ１や通信網ＮＷ２との通話路を接続することにより音声通話を実現する機能、内線端末２０での発信操作に応じて電話網ＮＷ１や通信網ＮＷ２に対する指定相手先への発信を行う機能などがある。
【００２３】
着先切替部１７は、電話網ＮＷ１からの着信要求に応じて対応する内線端末２０を呼出中に、当該着信要求の発側端末３０から送信された、当該着信要求に関する着先切替指示を、通信網ＮＷ２から受信した場合、当該着先切替指示で指定された切替先名と同じキーワードを持つ内線番号を内線ＤＢ１５から取得する機能と、当該着信要求に応じた内線端末２０への呼出を停止して、当該内線番号と対応する新たな内線端末２０への呼出を開始することにより着信要求の着先を切り替える機能とを有している。
【００２４】
［発側端末］
発側端末３０は、主な機能部として、電話処理部３１と着先切替指示部３２とを備えている。これら機能部は、ＣＰＵとソフトウェアとが協働することにより実現されている。なお、電話処理部３１は、発側端末３０に搭載されている標準機能であり、着先切替指示部３２は、携帯アプリなどの追加ソフトウェアで実現すればよい。
【００２５】
電話処理部３１は、利用者の発信操作に応じて電話網ＮＷ１や通信網ＮＷ２を介して、電話制御装置１０などの任意の相手先へ発信する機能と、これに応じた電話網ＮＷ１や通信網ＮＷ２からの応答に応じて相手先との間で音声通話を開始する機能とを有している。
着先切替指示部３２は、電話処理部３１により電話制御装置１０を呼出中に、利用者操作に応じて通信網ＮＷ２を介して、電話制御装置１０へ呼出中の着信要求に関する着先切替指示を送信する機能を有している。
【００２６】
本実施の形態において、着先切替指示部３２は、利用者により音声入力された着信切替先となる通話対象の名前を音声認識処理するための音声認識処理部を備えており、得られた認識結果、すなわち通話対象の名前を示すテキストデータ（仮名）が、着先として着信切替指示で用いられる。
【００２７】
［第１の実施の形態の動作］
次に、図３および図４を参照して、本実施の形態にかかる電話システム１の動作について説明する。図３は、第１の実施の形態にかかる電話システムの動作を示すシーケンス図である。図４は、第１の実施の形態にかかる電話システムの動作（続き）を示すシーケンス図である。
【００２８】
ここでは、電話制御装置１０に内線端末２０として３つの内線端末２０Ａ，２０Ｂ，２０Ｃが接続されており、発側端末３０からの着信要求に応じて内線端末２０Ａ，２０Ｂを呼び出した後、発側端末３０からの着先切替指示に応じて、呼出中である着信要求の着先を内線端末２０Ｃに切り替える場合を例として説明する。また、着先切替指示は、通信網ＮＷ２上に構成されたＩＰ電話網で用いられる呼制御メッセージを利用して、発側端末３０から電話制御装置１０へ通知する場合を例として説明する。
【００２９】
［着信動作］
まず、図３を参照して、着信動作（ステップ１００）について説明する。
発側端末３０で利用者により電話制御装置１０への発信操作が行われた場合（ステップ１０１）、電話制御装置１０の電話番号を着先とする発信要求が電話網ＮＷ１へ送信され（ステップ１０２）、電話網ＮＷ１から電話制御装置１０に対して着信要求が送信される（ステップ１０３）。また、電話網ＮＷ１から発側端末３０に呼出中が返送され（ステップ１０４）、発側端末３０で呼出音（ＲＢＴ：Ringing Back Tone）が出力される。
【００３０】
電話制御装置１０の呼制御部１６は、電話網ＮＷ１から網Ｉ／Ｆ部１１を介して着信要求を受信した場合、当該着信要求で着先として指定された電話番号に対応する内線端末２０Ａ，２０Ｂへ、内線Ｉ／Ｆ部１２から通信回線Ｌを介して呼出メッセージを送信する（ステップ１０５）。
内線端末２０Ａ，２０Ｂは、電話制御装置１０からの呼出メッセージを受信し、着信表示を行う（ステップ１０６）。
【００３１】
［着先切替指示動作］
次に、図３を参照して、着先切替指示動作（ステップ１１０）について説明する。
着信動作（ステップ１００）で電話網ＮＷ１から呼出中を受信した後（ステップ１０４）、発側端末３０で利用者が着先切替操作を行って（ステップ１１１）、新たな着先となる切替先名を音声入力した場合、着先切替指示部３２は、入力された利用者音声を音声認識処理し（ステップ１１２）、認識結果として得られたテキストデータを切替先名として特定する（ステップ１１３）。
【００３２】
続いて、発側端末３０は、電話制御装置１０の電話番号を着先とするとともに、特定した切替先名を含む発信要求（着先切替指示）を、通信網ＮＷ２へ送信する（ステップ１１４）。着先切替指示は、通信網ＮＷ２上に構成されたＩＰ電話網で用いられる呼制御メッセージを利用して、発側端末３０から電話制御装置１０へ通知してもよい。
【００３３】
具体的には、ＳＩＰ（Session Initiation Protocol）のＩＮＶＩＴＥメッセージを利用する場合、ＩＮＶＩＴＥメッセージのうち、項目「FROM:」で発側端末３０の発側ＩＤを示す電話番号やＵＲＩ（Uniform Resource Identifier）を指定し、ＳＤＰ（Session Description Protocol）のメディアオプションで「m=data」を指定し、付加情報「data」としてテキストデータからなる切替先名、例えば「サクサタロウ」を付加すればよい。
【００３４】
通信網ＮＷ２は、発側端末３０からの発信要求に応じて、電話制御装置１０に対して着信要求（着先切替指示）を送信する（ステップ１１５）。
電話制御装置１０の着先切替部１７は、通信網ＮＷ２からの着信要求を網Ｉ／Ｆ部１１を介して受信した場合、当該着信要求（着先切替指示）の発側ＩＤと一致する呼出中の着信が存在しているか確認し、存在している場合には、当該着信要求（着先切替指示）で指示された切替先名と同じキーワードを持つ内線番号を内線ＤＢ１５から取得することにより、新たな着先すなわち着信切替先を確認する（ステップ１１６）。
【００３５】
例えば、内線ＤＢ１５が図２に示した登録内容であって、切替先名が「サクサタロウ」であった場合、呼出中の着信要求に関する新たな着先すなわち着信切替先として、利用者「サクサ太郎」が利用する内線端末２０の内線番号「１００１」が特定される。
また、切替先名が「ダイイチカイギシツ」であった場合、着信切替先として設置場所が「第１会議室」である内線端末２０の内線番号「１５０１」が特定され、切替先名が「ケンキュウカイハツブ」であった場合、着信切替先として設置部署が「研究開発部」である内線端末２０の内線番号「２０１０」が特定される。
【００３６】
これにより、発信者が、切替先名として、内線端末２０の利用者名さらには設置場所や設置部署を発声するだけで、着信切替先の内線端末２０を指定できる。
この後、着先切替部１７は、通信網ＮＷ２からの着信要求に対して切断を返送する（ステップ１１７）。これにより、通信網ＮＷ２から発側端末３０に切断が通知され（ステップ１１８）、通信網ＮＷ２を介した発側端末３０からの発信がキャンセルされることになる。
【００３７】
［着先切替動作］
次に、図４を参照して、着先切替動作（ステップ１２０）について説明する。
電話制御装置１０の着先切替部１７は、呼出中の着信要求に関する新たな着先すなわち着信切替先を確認した場合（ステップ１１６）、元の着信要求で着先として指定された電話番号に対応する内線端末２０Ａ，２０Ｂへ、呼出中止メッセージを送信するとともに（ステップ１２１）、着信切替先に対応する内線端末２０Ｃへ呼出メッセージを送信する（ステップ１２２）。
【００３８】
これにより、内線端末２０Ａ，２０Ｂは、電話制御装置１０からの呼出中止メッセージを受信し、着信表示を停止する（ステップ１２３）。
また、内線端末２０Ｃは、電話制御装置１０からの呼出メッセージを受信し、着信表示を開始する（ステップ１２４）。
【００３９】
［通話開始動作］
次に、図４を参照して、通話開始動作（ステップ１３０）について説明する。
内線端末２０Ｃでの応答操作に応じて（ステップ１３１）、内線端末２０Ｃから通信回線Ｌを介して電話制御装置１０へ応答メッセージが送信される（ステップ１３２）。
電話制御装置１０の呼制御部１６は、内線Ｉ／Ｆ部１２を介して内線端末２０Ｃから応答メッセージを受信した場合、電話網ＮＷ１へ応答を送信する（ステップ１３３）。
【００４０】
これにより、電話網ＮＷ１から発側端末３０へ応答が通知され（ステップ１３４）、電話網ＮＷ１を介して発側端末３０の通話路と、内線端末２０Ｃの通話路とが、呼制御部１６の制御に応じてスイッチ部１３で交換接続されて、発側端末３０と内線端末２０との間で通話が開始される（ステップ１３５）。
【００４１】
［第１の実施の形態の効果］
このように、本実施の形態は、内線ＤＢ１５で、内線端末２０の内線番号ごとに当該内線端末２０に固有のキーワードを記憶しておき、呼制御部１６が、電話網ＮＷ１から通知された着信要求に応じて、当該着信要求で指定された着先と対応する内線端末２０を呼び出し、着先切替部１７が、当該着信要求に関する呼出中に、当該着信要求の発側端末３０から送信された、当該着信要求に関する着先切替指示を、通信網ＮＷ２から受信した場合、当該着先切替指示で指定された切替先名と同じキーワードを持つ内線番号を内線ＤＢ１５から取得し、当該着信要求に応じた内線端末２０への呼出を停止して、当該内線番号と対応する新たな内線端末２０への呼出を開始することにより当該着信要求の着先を切り替えるようにしたものである。
【００４２】
これにより、発信者が外出中で時間的余裕がない場合、電話制御装置１０での電話取次を前提として発側端末３０から電話制御装置１０に電話した後、発側端末３０で着先切替操作を行って、例えば通話対象者の名前を音声入力するだけで、着先が通話対象者に切り替えられることになる。したがって、発信者が電話網ＮＷ１経由で通話対象者を直接呼び出すことができない場合でも、呼出中の当該着信要求の着先を発信者からの指示に応じて指定された着先に切り替えることが可能となる。
【００４３】
また、本実施の形態において、内線ＤＢ１５において、キーワードとして、内線端末２０を利用する利用者名、または、内線端末２０の設置場所の場所名を示すテキストデータを記憶するようにしてもよい。
これにより、着先を切り替える場合、通話対象の名前を音声入力するという極めて簡素な作業で、切替先を指定することができる。
【００４４】
また、本実施の形態において、着先切替指示が、切替先名として、発側端末３０で切替先名を示す利用者音声を音声認識処理して得られたテキストデータを含み、着先切替部１７が、着先切替指示に含まれるテキストデータからなる切替先名と同じキーワードを持つ内線番号を内線ＤＢ１５から取得するようにしてもよい。
これにより、利用者音声が発側端末３０の音声認識機能でテキストデータに変換されるため、電話制御装置１０の処理負担を最小限に抑えることが可能となる。
【００４５】
［第２の実施の形態］
次に、本発明の第２の実施の形態にかかる電話制御装置１０について説明する。
第１の実施の形態では、切替先を示す利用者音声を発側端末３０で音声認識処理する場合を例として説明した。本実施の形態では、この音声認識処理を電話制御装置１０で行う場合について説明する。
【００４６】
本実施の形態において、着先切替部１７は、着先切替指示に含まれる音声データを音声認識処理し、得られたテキストデータからなる切替先名と同じキーワードを持つ内線番号を内線ＤＢ１５から取得する機能を有している。
本実施の形態にかかる電話システム１および電話制御装置１０のその他構成については、第１の実施の形態と同様であり、ここでの説明は省略する。
【００４７】
［第２の実施の形態の動作］
次に、図５を参照して、本実施の形態にかかる電話システム１での着先切替指示動作（ステップ２００）について説明する。図５は、第２の実施の形態にかかる電話システムの動作を示すシーケンス図である。なお、このほかの着信動作（ステップ１００）、着先切替動作（ステップ１２０）、および通話開始動作（ステップ１３０）については、第１の実施の形態と同様であり、ここでの説明は省略する。
【００４８】
ここでは、電話制御装置１０に内線端末２０として３つの内線端末２０Ａ，２０Ｂ，２０Ｃが接続されており、発側端末３０からの当該着信要求に応じて内線端末２０Ａ，２０Ｂを呼び出した後、発側端末３０からの着先切替指示に応じて、呼出中着信要求の着先を内線端末２０Ｃに切り替える場合を例として説明する。また、着先切替指示は、通信網ＮＷ２を介したデータ通信により、発側端末３０から電話制御装置１０へ通知する場合を例として説明する。
【００４９】
着信動作（ステップ１００）で電話網ＮＷ１から呼出中を受信した後（ステップ１０４）、発側端末３０で利用者が着先切替操作を行って（ステップ２０１）、新たな着先となる切替先名を音声入力した場合、着先切替指示部３２は、入力された利用者音声を符号化し（ステップ２０２）、得られた音声データ、例えばＷＡＶ形式ファイルに、発側端末３０の発側ＩＤを示す電話番号やＵＲＩを付加した着先切替指示を、通信網ＮＷ２を介して電話制御装置１０へ送信する（ステップ２０３）。
【００５０】
電話制御装置１０の着先切替部１７は、通信網ＮＷ２からの着先切替指示を網Ｉ／Ｆ部１１を介して受信した場合、当該着先切替指示の発側ＩＤと一致する呼出中着信要求が存在しているか確認し、存在している場合には、当該着先切替指示に含まれる音声データを音声認識処理し、認識結果として得られたテキストデータを切替先名として特定する（ステップ２０４）。
【００５１】
続いて、着先切替部１７は、得られた切替先名と同じキーワードを持つ内線番号を内線ＤＢ１５から取得することにより、新たな着先すなわち着信切替先を確認する（ステップ２０５）。
この後、着先切替部１７は、前述した図４の着先切替動作（ステップ１２０）以降を実行する。
【００５２】
［第２の実施の形態の効果］
このように、本実施の形態は、着先切替指示が、切替先名として、発側端末３０で切替先名を示す利用者音声を符号化して得られた音声データを含み、着先切替部１７が、着先切替指示に含まれる音声データを音声認識処理し、得られたテキストデータからなる切替先名と同じキーワードを持つ内線番号を内線ＤＢ１５から取得するようにしたものである。
【００５３】
これにより、利用者音声が電話制御装置１０の音声認識機能でテキストデータに変換されるため、発側端末３０の処理負担を最小限に抑えることが可能となるとともに、音声認識機能を搭載していない電話端末が発側端末３０であっても、同様にして着先切替動作を行うことが可能となる。
【００５４】
［第３の実施の形態］
次に、図６を参照して、本発明の第３の実施の形態にかかる電話制御装置１０について説明する。図６は、第３の実施の形態にかかる電話システムの構成を示すブロック図である。
第１の実施の形態では、切替先を示す利用者音声を発側端末３０で音声認識処理する場合を例として説明した。本実施の形態では、この音声認識処理を通信網ＮＷ２に接続されている音声処理サーバ４０で行う場合について説明する。
【００５５】
本実施の形態において、着先切替部１７は、着先切替指示に含まれるテキストデータからなる切替先名と同じキーワードを持つ内線番号を内線ＤＢ１５から取得する機能を有している。
音声処理サーバ４０は、通信網ＮＷ２に接続された一般的なクラウドサーバであり、発側端末３０から送信された着先切替指示に含まれている音声データを音声認識処理し、得られたテキストデータからなる切替先名を含む着先切替指示を電話制御装置１０へ転送する機能を有している。
【００５６】
［第３の実施の形態の動作］
次に、図７を参照して、本実施の形態にかかる電話システム１での着先切替指示動作（ステップ３００）について説明する。図７は、第３の実施の形態にかかる電話システムの動作を示すシーケンス図である。なお、このほかの着信動作（ステップ１００）、着先切替動作（ステップ１２０）、および通話開始動作（ステップ１３０）については、第１の実施の形態と同様であり、ここでの説明は省略する。
【００５７】
ここでは、電話制御装置１０に内線端末２０として３つの内線端末２０Ａ，２０Ｂ，２０Ｃが接続されており、発側端末３０からの着信要求に応じて内線端末２０Ａ，２０Ｂを呼び出した後、発側端末３０からの着先切替指示に応じて、呼出中着信要求の着先を内線端末２０Ｃに切り替える場合を例として説明する。また、着先切替指示は、通信網ＮＷ２を介したデータ通信により、発側端末３０から音声処理サーバ４０を介して電話制御装置１０へ通知する場合を例として説明する。
【００５８】
着信動作（ステップ１００）で電話網ＮＷ１から呼出中を受信した後（ステップ１０４）、発側端末３０で利用者が着先切替操作を行って（ステップ３０１）、新たな着先となる切替先名を音声入力した場合、着先切替指示部３２は、入力された利用者音声を符号化し（ステップ３０２）、得られた音声データ、例えばＷＡＶ形式ファイルに、発側端末３０の発側ＩＤを示す電話番号やＵＲＩを付加した着先切替指示を、通信網ＮＷ２を介して音声処理サーバ４０へ送信する（ステップ３０３）。
【００５９】
音声処理サーバ４０は、発側端末３０から受信した着先切替指示に含まれる音声データを音声認識処理し、認識結果として得られたテキストデータを切替先名として特定し（ステップ３０４）、受信した着先切替指示に当該切替先名を付加して電話制御装置１０へ転送する（ステップ３０５）。この際、着先切替指示に含まれる音声データを削除して転送してもよい。
【００６０】
電話制御装置１０の着先切替部１７は、通信網ＮＷ２からの着先切替指示を網Ｉ／Ｆ部１１を介して受信した場合、当該着先切替指示の発側ＩＤと一致する呼出中の着信要求が存在しているか確認し、存在している場合には、当該着先切替指示に含まれる切替先名と同じキーワードを持つ内線番号を内線ＤＢ１５から取得することにより、新たな着先すなわち着信切替先を確認する（ステップ３０６）。
この後、着先切替部１７は、前述した図４の着先切替動作（ステップ１２０）以降を実行する。
【００６１】
［第３の実施の形態の効果］
このように、本実施の形態は、発側端末３０から送信された着信要求に関する着先切替指示に含まれる音声データを音声認識処理し、得られたテキストデータからなる切替先名を生成する音声処理サーバ４０を備え、着先切替部１７が、着信要求に応じた呼出中に、発側端末３０からの着先切替指示で指定された切替先名を音声処理サーバ４０から取得して、切替先名と同じキーワードを持つ内線番号を内線ＤＢ１５から取得し、呼出中である内線端末２０への呼出を停止して、当該内線番号と対応する新たな内線端末２０への呼出を開始することにより着信要求の着先を切り替えるようにしたものである。
【００６２】
これにより、利用者音声が音声処理サーバ４０の音声認識機能でテキストデータに変換されるため、電話制御装置１０および発側端末３０の処理負担を最小限に抑えることが可能となるとともに、音声認識機能を搭載していない電話制御装置１０や発側端末３０であっても、同様にして着先切替動作を行うことが可能となる。
【００６３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６４】
１…電話システム、１０…電話制御装置、１１…網Ｉ／Ｆ部、１２…内線Ｉ／Ｆ部、１３…スイッチ部、１４…記憶部、１５…内線ＤＢ、１６…呼制御部、１７…着先切替部、２０…内線端末、３０…発側端末、３１…電話処理部、３２…着先切替指示部、Ｌ…通信回線、ＮＷ１…電話網、ＮＷ２…通信網。
【図１】
2019097017.tif 000003
【図２】
2019097017.tif 000004
【図３】
2019097017.tif 000005
【図４】
2019097017.tif 000006
【図５】
2019097017.tif 000007
【図６】
2019097017.tif 000008
【図７】
2019097017.tif 000009